(57)【要約】【課題】回路遮断器において過電時の遮断動作の安定化を図る。【解決手段】回路遮断器１１は、バイメタル板４１の接触可能な引外しピン５９ａを備え、接点を開放可能な第１及び第２ラッチレバー５８、５９等からなるラッチ機構と、テーパ部係合孔４９ｅを備え、バイメタル板４１を所定の姿勢で支持する支持枠４９ｂと、支持枠４９ｂに干渉して撓みを付与することでバイメタル板４１の取付姿勢を変化させ、引外しピン５９ａとバイメタル板４１とのギャップｄを調整する調整ねじ４９ｄと、調整ねじ４９ｄに設けられ、このねじの螺進により、テーパ部係合孔４９ｅの周縁を押圧するテーパ部４９ｇとを有する。テーパ部４９ｇがテーパ部係合孔４９ｅの周縁に楔状に食込んだ強固な固定状態がつくりだされるので、バイメタル板４１の初期の調整位置（ギャップ）ｄが変化すること等が抑制され、過電時の遮断動作の安定化を図ることができる。【選択図】      図６
2004158389.tif 000002
【特許請求の範囲】
【請求項１】
過電流の通電により変形する過電流変形部材と；
前記過電流変形部材の接触可能な引外し部を備え、この引外し部へ所定の荷重が付与された場合に接点を開放可能なラッチ機構と；
開口部を備え前記過電流変形部材を所定の姿勢で支持する支持部材と；
前記支持部材に干渉して撓みを付与することにより前記過電流変形部材の姿勢を変化させ、前記ラッチ機構が備える前記引外し部と前記過電流変形部材との離間距離を調整する調整ねじと；
前記調整ねじに設けられ、この調整ねじの螺進により前記支持部材が備える前記開口部の周縁を押圧するテーパ部と；
を具備することを特徴とする回路遮断器。
【請求項２】
電源側に設けられた複数の導電体に選択的に接続される選択端子と；
前記選択端子と前記過電流変形部材とを接続する電線と；
前記電線の少なくとも一部を固定的に保持する電線保持部と；
をさらに具備することを特徴とする請求項１記載の回路遮断器。
【請求項３】
請求項１又は２記載の回路遮断器を備えたことを特徴とする分電盤。
【発明の詳細な説明】
【０００１】
【発明の属する技術分野】この発明は、例えば電源を屋内に取り込んで配電する場合等に利用される回路遮断器及びこれを搭載した分電盤に関する。
【０００２】
【従来の技術】従来、住宅用の分電盤等に搭載されて分岐ブレーカ等として利用される回路遮断器には、通電電路に過大電流が流れたときに、接点を強制開極する熱動式の引外し素子等が搭載されている。
【０００３】
この熱動式の引外し素子の一例として、例えば、バイメタルと電気的且つ機械的に接続された導電板の折曲部分にナットを挿入固定し、このナットに例えば先の尖ったねじを螺合し、さらにこのねじの先端で、ほぼ９０°に折曲されたバイメタルの底片を押圧してバイメタルの倒立角度を変更することにより、引外しレバーとバイメタルとの初期のギャップの調整、すなわち、過電流引外し時間を調整する装置が開示されている（特許文献１参照）。
【０００４】
【特許文献１】
特開２００１−３５３４２号公報（第４頁，図４）
【０００５】
【発明が解決しようとする課題】しかしながら、上述した装置では、バイメタルにねじの先端が接触する構造であるため、機構部のＯＮ／ＯＦＦによる衝撃等の影響で、バイメタルとねじ先端との接触位置が変わり、これにより、引外しレバーとバイメタルとの初期のギャップ量、つまり過電流引外し時間が所望の設定時間から変化してしまうおそれがある。
【０００６】
また、上述した装置では、ほぼ９０°に折曲されたバイメタルの底片をねじで押す構造であるため、ＯＮ／ＯＦＦが繰り返されると、急激な熱変化や折曲部分の残留応力等の影響が相まってバイメタルが変形すること等が考えられ、前記同様、過電流引外し時間が、意図した設定時間に対してずれる可能性がある。
【０００７】
さらに、過電流引外し時間を変化させる要因の一つに、複数の導電体の中から選択した導電体と接続可能な位置に、選択端子を回転移動させることの可能な切替機構である選択端子回転機構等の影響も懸念されている。すなわち、選択端子とバイメタルとを接続するジャンパ線に、選択端子を回転切替する際の回転力が伝達されて例えばジャンパ線にひねり（変形）が生じ、初期のバイメタルの位置や姿勢が変化してしまうおそれがある。したがって、前記同様、引外しレバーとバイメタルとの初期のギャップ量が変化する可能性があり、この点を改善することへの要請もある。
【０００８】
そこで、本発明は、このような課題を解決するためになされたもので、バイメタル等の過電流の通電により変形する部材の初期の取付姿勢や調整位置が変化してしまうこと等を抑制することで、過電時の遮断動作の安定化を図ることができる回路遮断器及び分電盤を提供するものである。
【０００９】
【課題を解決するための手段】上記目的を達成するために、本発明に係る回路遮断器は、過電流の通電により変形する過電流変形部材と；前記過電流変形部材の接触可能な引外し部を備え、この引外し部へ所定の荷重が付与された場合に接点を開放可能なラッチ機構と；開口部を備え前記過電流変形部材を所定の姿勢で支持する支持部材と；前記支持部材に干渉して撓みを付与することにより前記過電流変形部材の姿勢を変化させ、前記ラッチ機構が備える前記引外し部と前記過電流変形部材との離間距離を調整する調整ねじと；前記調整ねじに設けられ、この調整ねじの螺進により前記支持部材が備える前記開口部の周縁を押圧するテーパ部と；を具備することを特徴とする。
【００１０】
ここで、上述した発明及び以下の各発明において、特に言及しない限り用語の定義及び技術的意義は次のとおりとする。
すなわち、回路遮断器とは、プラグインブレーカ、プラグイン端子ブレーカ、分岐用回路遮断器、分岐ブレーカ等とも呼ばれる開閉器である。
過電流変形部材とは、過電流が自身に通電された場合に熱等により変形する部材を言う。例えば、バイメタル等が過電流変形部材として例示される。平板状の過電流変形部材とは、曲げのないストレート（直線的な）形状の過電流変形部材である。
ラッチ機構は、例えば複数のレバー類やスプリング等により構成することが可能である。ラッチ機構の引外し部とは、ラッチ状態を解除するための始動部分であり、過電時に変形した過電流変形部材と接触する突起部等である。
【００１１】
筐体とは、回路遮断器の外郭を形成する部材の他、これに固定される中子等を含む。
支持部材は、過電流変形部材と例えば一体的に固定され、それぞれ、上記筐体に取り付けられる。また、支持部材が備える開口部は、丸穴や、四角形等を含む多角形の角穴等であってもよい。また、開口部の周縁に、調整ねじのテーパ部の形状に適合する同様のテーパ部を形成してもよい。この場合、過電流変形部材の位置や姿勢の調整部分である調整ねじと支持部材とが面で接触することになり、これにより、過電時の遮断動作の安定化に寄与できる。さらに、支持部材が、金型加工により成形される板金等である場合には、縦ばり等が発生しない面側を調整ねじのテーパ部分で押圧することが好ましい。
【００１２】
調整ねじのテーパ部は、調整ねじの例えば先端部を円錐状に成形すること等により実現される。テーパ部の表面は、その面租度が細かい程、過電流変形部材の位置調整を精度良く行える。
引外し部と過電流変形部材との離間距離、つまり過電流引外しのギャップは、過電流変形部材の変形特性を考慮した上で、定格電流に対し例えば１２５％の過電流が流れた場合には例えば６０分程で回路が遮断されるように調整され、また、定格電流に対し例えば２００％の過電流が流れた場合には、２分程度で回路が遮断されるように調整されること等が例示される。
また、回路の遮断とは、回路遮断器のメインのハンドルがＯＮの位置にあり接点のみが開極されるトリップ（ＴＲＩＰ）の状態を含む。
【００１３】
導電体とは、分電盤等に設けられた平板状の部材や、先端部がほぼ直角に折曲されたかたちの棒状の部材等が例示される。選択端子は、導電体とそれぞれ専用に接続される板ばね等で形成された部材である。電線としては、可とう性を有するより線で形成された銅線等が例示される。電線保持部は、筐体と一体成形されていてもよいし、筐体に取り付ける別部材等であってもよい。筐体と一体成形される電線保持部は、電線よりも僅かに幅の細い溝部を有する一対のリブ等が例示される。
選択端子回転機構は、選択端子の移動をガイドするための案内機構や、選択した導電体に対応する位置に端子端子を定位させるためのロック機構等を含むものである。
分電盤は、例えば家庭や店舗等に設置され住宅用の配電等に利用されるもので、電源に接続されるリミッタやリミッタの２次側が接続される主幹ブレーカ等を備えるものである。
【００１４】
上述した発明では、過電流変形部材の姿勢を変化させて引外し部との間の離間距離を調整するための機構が、調整ねじのテーパ部と支持部材の開口部周縁との接触部分により実現されているので、テーパ部が開口部に楔状に食込んだ強固な固定状態がつくりだされることになる。これにより、装置本体のＯＮ／ＯＦＦによる衝撃等の影響で、過電流変形部材と調整ねじとの接触位置が変わってしまうこと等が低減されるので、引外し部と過電流変形部材との初期のギャップ量、つまり過電流引外し時間が所望の設定時間から変化してしまうこと等が抑制され、過電時の遮断動作の安定化を図ることができる。
また、この発明によれば、回路遮断器の製造工程において繰り返される例えば過電流引き外し検査の引き外し時間のバラツキが小さくなり、回路遮断器の生産性の向上を図ること等も可能である。
【００１５】
また、本発明に係る回路遮断器は、電源側に設けられた複数の導電体に選択的に接続される選択端子と；前記選択端子と前記過電流変形部材とを接続する電線と；前記電線の少なくとも一部を固定的に保持する電線保持部と；をさらに具備することを特徴とする。
この発明によれば、選択端子を所望の導電体に接続する際等に、電線を通じて過電流変形部材に伝達されるようとする外部応力を電線保持部により阻止できるので、過電流変形部材の姿勢や位置が変化してしまうこと等が抑制され、過電時の遮断動作の安定化を図ることが可能である。
また、この発明は、前記複数の導電体の中から選択した導電体と接続可能な位置に前記選択端子を回転移動させる選択端子回転機構を備えた回路遮断器等に適用した場合に有用である。
【００１６】
さらに、本発明は、上述したいずれかの回路遮断器を備えたことを特徴とする分電盤である。
【００１７】
【発明の実施の形態】以下、本発明の実施の形態を図面に基づき説明する。
図１は、本発明の実施形態に係る回路遮断器が搭載された分電盤（扉を外した状態）を示す正面図、図２は、その分電盤（扉を閉じた状態）の側面図である。
これらの図に示すように、この分電盤１は、主に家庭や店舗等で設置されるもので、家屋の壁面等に設置されるベース２と、このベース２の正面側に取り付けられる枠状カバー３と、この枠状カバー３の正面側に開閉可能に取り付けられた扉４とを備えている。
【００１８】
分電盤１の内側には、電源線に接続されるリミッタ（図示せず）が取り付けられるリミッタ取付部５と、リミッタの２次側が接続される主幹漏電ブレーカ６と、この主幹漏電ブレーカ６の２次側が接続される複数の回路遮断器１１等とが取り付けられている。
【００１９】
また、分電盤１は、単相３線式で、主幹漏電ブレーカ６の２次側に接続されたブスバーとも呼ばれる導電体（給電体）としての３本の板状の導電バーＮ、Ｌ１、Ｌ２を備えている。これら導電バーＮ、Ｌ１、Ｌ２は、上下２列に並ぶ回路遮断器１１の間に配置され、回路遮断器１１を中性極の導電バーＮと一方の電圧極の導電バーＬ１とに接続し、或いは中性極の導電バーＮと他方の電圧極の導電バーＬ２とに接続することで、１００Ｖ用として利用され、また、両電圧極の導電バーＬ１と導電バーＬ２とに接続することで、２００Ｖ用として利用するようになっている。
【００２０】
次に、回路遮断器１１の構造を図面に基づき説明する。図３は、回路遮断器１１（ＯＦＦ状態）の断面図、図４は、回路遮断器１１の平面図、図５は、その後面図である。なお、以下の説明においては、図３における右側を後側とする。また、図３では１００Ｖ用の端子の配置を示している。
これらの図に示すように、各回路遮断器１１は、プラグインブレーカ、プラグイン端子ブレーカ、分岐用回路遮断器等とも呼ばれる開閉器であって、例えば白色の筐体１２で外郭が形成される薄形構造の分岐ブレーカである。
【００２１】
筐体１２は、絶縁性を有する合成樹脂で成形された一対のケース体１３、１４を組み合わせ、例えば４つのリベット等のピン１６で連結され薄箱状に形成されている。また、このケース体１３、１４の内側は、筐体１２を構成する絶縁性を有するセパレータ１８等により区画されている。さらに、この筐体１２は、底部の一部が裏蓋１９で覆われ、また、側部の一部に開閉可能な端子ドア２０が備えられている。
【００２２】
筐体１２の後側部分には、電源接続部２１が収納されていると共に、中央部には、熱動電磁式の回路遮断部２２が収納され、さらに前側部分には、負荷接続部２３が収納されている。筐体１２の後端部には、電源接続部２１に臨み、上下に所定間隔で、導電体接続口２５、２６、２７に連続して開口部２８が形成され、開口部２８が端子ドア２０で開閉可能に覆われている。筐体１２の前端部には、円孔状の両側一対の電線挿入口２９が形成されていると共に、これら電線挿入口２９の下側に位置した矩形状の検電用挿入口３０が形成されている。
【００２３】
筐体１２には、下部の底面部３２に分電盤に係合して取り付けられる前後一対の取付部３２ａが形成されていると共に、前側の端部には、係合を保持するロックレバー３２ｂが上下動可能に取り付けられている。上部の天面部３３には、電線接続用レバー取付部３５、ハンドル取付部３６及び表示部取付部３７が形成され、後端部には導電体接続口２５、２６、２７どうしの間に位置した操作部取付部３８が形成されている。筐体１２の両側面は、ほぼ平面状に形成されている。なお、筐体１２の天面部３３には、必要に応じて必要に応じて銘板３３ａ、３３ｂが貼着されている。
【００２４】
電源接続部２１は、ケース体１３、１４或いはセパレータ１８に一体等で成形された区画板６１により、他の部分から区画された電源接続部収納部６４に収納されている。また、電源接続部収納部６４の一側部の開口部２８は、端子ドア２０により開閉される。端子ドア２０は、絶縁性能を有する合成樹脂にて一体成形され、上下の端部に軸部２０ａを設けた基部２０ｂと、基部２０ｂから延設された上下一対の側片部２０ｃと、これら側片部２０ｃの先端部から操作部取付部３８側に連接するように突設された端辺部２０ｄとを備えている。
【００２５】
これら端辺部２０ｄの先端部近傍からは、ほぼ基部２０ｂ側、すなわち電源接続部収納部６４の内側に向かって突設された板状の係止部２０ｅを備えている。各係止部２０ｅは、先端部に向かって上下の寸法が小さくなり、上下の辺が、案内部を構成するドア側傾斜辺部２０ｆとなっている。また、この端子ドア２０の軸部２０ａは、ケース体１４に回動可能に、且つ前後方向に僅かに移動可能に軸支されている。
【００２６】
電源接続部収納部６４の上部には、表示窓６５が形成されている。表示窓６５は、矩形状の通孔と、この通孔の下方に所定の間隔を介して配置されたケース体１３と、一体の底板とを備えている。そこで、表示窓６５は、他の部材が通孔と底板との間に位置しない状態では、底板が目視されケース体１３、１４と同色の白色となる。
【００２７】
電源接続部２１には、図３及び図５に示すように、一対の切替つまみ６６が設けられている。切替つまみ６６は、区画板６１と操作部取付部３８との間に配置され、約１８０度だけ回転可能となるように軸支されている。また、切替つまみ６６には、円孔７２を介して外部に露出する工具受部として、プラスドライバ等を係合可能な溝が形成されている。
【００２８】
また、各切替つまみ６６には、金属板等を折曲して形成された選択端子７７が取り付けられている。選択端子７７は、対向する一対の接触部７８を備えており、それぞれジャンパ線４０を介して回路遮断部２２の異なるバイメタル板４１に接続されている。選択端子７７の接触部７８は、プラスドライバ等を用い各切替つまみ６６を回動することにより、導電体接続口２５、２６、２７のいずれかに対向する。
【００２９】
次に、本実施形態に係る回路遮断器１１に設けられた回路遮断部２２の構造を図面に基づき説明する。図６は、回路遮断器１１に設けられた回路遮断部２２を拡大して示す断面図、図７は、回路遮断部２２を構成する四角ナットに調整ねじを螺合する前の状態を示す断面図、図８は、図７の四角ナットに調整ねじを螺合した後の状態を示す断面図、図９は、回路遮断部２２に設けられたジャンパ線保持部の構造を示す断面図である。
【００３０】
これら図６ないし図９及び前記図３に示すように、回路遮断部２２は、銅より線の配線であるジャンパ線４０を介して電源接続部２１に接続され、過電流が自身に通電された場合に変形する一対のバイメタル板４１と、これらバイメタル板４１に対向する磁鉄片４２と、これらバイメタル板４１に銅より線の配線であるジャンパ線４３を介して接続された可動接点板である一対のコンタクトアーム４４と、これらコンタクトアーム４４の先端部に固定された可動接点４５と、負荷接続部２３に接続され、可動接点４５に接続される固定接点４６とを備えている。
【００３１】
また、コンタクトアーム４４は、基端部を支点として回動可能に支持され、コイルスプリング４８により、可動接点４５が固定接点４６から離間する方向に付勢されている。
【００３２】
各磁鉄片４２の取付部分には、磁性鉄板を逆Ｌに折り曲げてその垂直片の両端を直角に折り曲げて水平断面がコ字状となった鉄枠４９と、鉄枠４９の両端の傾斜面よりなる磁極面に回動自在に対向支持させるための板ばねである磁鉄片ばね４９ａと、バイメタル板４１を所定の姿勢で支持する支持枠４９ｂと、筐体であるセパレータ１８の一部と支持枠４９ｂとの間に挟持されるように固定され四角ナット４９ｃと、この四角ナット４９ｃに螺合して支持枠４９ｂに干渉し撓みを付与することによりバイメタル板４１の取付姿勢を変化させ、第２ラッチレバー５９が備える引外しピン５９ａとバイメタル板４１との離間距離（ギャップ）ｄを調整する調整ねじ４９ｄとが設けられている。
【００３３】
回路遮断部２２では、固定鉄心としての鉄枠４９の２つの側片及び連結片によりなる空間を貫通する通電電路が形成される。磁鉄片４２は、この通電電路を鉄枠４９の間に挟む形で配設されて一端側を回動中心点とすると共に他端側が自由端となる。
【００３４】
回路遮断部２２には、接点開閉機構５１が設けられている。接点開閉機構５１は、ハンドル取付部３６に回動可能に取り付けられたスナップとも呼ばれるハンドル５２と、ハンドル５２を回動可能に軸支する軸５２ａと、ハンドル５２を所定方向に付勢する線ばねであるスナップスプリング５３及び図示しない復帰スプリングと、ハンドル５２に連結されたリンク軸である金属製の第１リンク５５と、第１リンク５５の移動方向を規制する引外し板である第２リンク５６と、第１リンク５５に押動されてコンタクトアーム４４を押動する可動枠である合成樹脂製の押動体５７と、第２リンク５６の位置を規制する引外しレバーである第１ラッチレバー５８、及びバイメタル板４１の接触可能な上記引外しピン５９ａを備え、この引外しピン５９ａへ所定の荷重が付与された場合に、接点可動接点４５と固定接点４６との接触状態を解除可能な第２ラッチレバー５９と、第１ラッチレバー５８の軸５８ａ、及び第１及び第２ラッチレバー５８、５９を所定方向に付勢する線ばねとしての復帰スプリング６０等を備えている。なお、ハンドル５２の前面には、ＯＮ（オン）が記されたラベル（図示せず）が貼着され、ハンドル５２の後面には、ＯＦＦ（オフ）が記されたラベル５２ｃが貼着されている（図４参照）。
【００３５】
回路遮断部２２は、過電流が流れていない状態では、第１及び第２ラッチレバー５８、５９に位置規制された第２リンク５６により第１リンク５５が押動体５７を押動可能に案内され、ハンドル５２を後方（図３に示す矢印Ａ方向）に回動することにより、第１リンク５５が押動体５７を下方に押動し、この押動体５７がコンタクトアーム４４を下方に押動して、コイルスプリング４８の付勢力に抗して可動接点４５を固定接点４６に圧接し回路が閉成された状態が維持される。
【００３６】
一方、回路遮断部２２は、過電流が流れると、バイメタル板４１が、第２ラッチレバー５９側に傾斜するように湾曲し、バイメタル板４１が引外しピン５９ａを所定の荷重で押圧する。これにより、軸５９ｂを回転中心として第２ラッチレバー５９が、（図３中の時計方向に）回動する。第２ラッチレバー５９の回動に伴って、軸５８ａを回転中心として、第１ラッチレバー５８が（図３中の反時計方向に）回動し、第２リンク５６の位置の規制が解除される。これに伴い、第１リンク５５が押動体５７から外れ、コイルスプリング４８の付勢力により、可動接点４５を固定接点４６から引き外し回路が遮断される。
【００３７】
ここで、前述した第２ラッチレバー５９の引外しピン５９ａとバイメタル板４１との離間距離（ギャップ）ｄを調整するための機構について詳述する。
【００３８】
図６ないし図９に示すように、断面コの字状に形成された支持枠４９ｂの起立した部位の外壁面には、バイメタル板４１の基部が例えばスポット溶接等により接合されている。四角ナット４９ｃは、支持枠４９ｂの底部の折曲部分の内壁面とセパレート１８に設けられたリブ９１、９２と間に介在されるかたちで配置されている。四角ナット４９ｃには、調整ねじ４９ｄと螺合する雌ねじ部４９ｈが形成されている。調整ねじ４９ｄは、六角レンチ等で締め付け可能ないもねじであり、その先端部には円錐状のテーパ部４９ｇが設けられている。また、支持枠４９ｂの底部の折曲部分には、調整ねじ４９ｄを挿通可能な透孔４９ｆが形成されている。さらに、支持枠４９ｂの上部の折曲部分には、調整ねじ４９ｄのテーパ部４９ｇとその縁部で係合するテーパ部係合孔４９ｅが穿孔されている。
【００３９】
したがって、図８に示すように、調整ねじ４９ｄを四角ナット４９ｃに締め込んで行くと、調整ねじ４９ｄの螺進により支持枠４９ｂ上部のテーパ部係合孔４９ｅの周縁（エッジ部分）が押圧され、（コの字形状が広がるように）支持枠４９ｂに撓みが付与されることになる。これにより、バイメタル板４１は、支持枠４９ｂに接合された基部を支点として、（バイメタル板４１の）先端部が、引外しピン５９ａ側に近接するように傾斜することになる。
【００４０】
ここで、バイメタル板４１の取付姿勢を変化させて引外しピン５９ａとの間の離間距離ｄを調整するための当該調整機構は、調整ねじ４９ｄのテーパ部４９ｇと支持枠４９ｂのテーパ部係合孔４９ｅ周縁との接触部分により実現されているので、テーパ部４９ｇがテーパ部係合孔４９ｅの周縁に楔状に食込んだ強固な固定状態がつくりだされることになる。これにより、回路遮断器１１のＯＮ／ＯＦＦによる衝撃等の影響で、バイメタル板４１と調整ねじ４９ｄとの接触位置が変わってしまうこと等が低減されるので、引外しピン５９ａとバイメタル板４１との初期のギャップｄ、つまり過電流引外し時間が所望の設定時間から変化してしまうこと等が抑制され、過電時の遮断動作の安定化を図ることができる。
【００４１】
また、この調整機構では、調整ねじ４９ｄを四角ナット４９ｃに締結する締結力を利用して、バイメタル板４１を支持する支持枠４９ｂをリブ９１、９２を通じてセパレータ１８に固定できるので、過電流引外し時間調整用のねじ類等が有する機能が有効利用され、装置構成の簡略化及び部品点数の削減等を図ることができる。
【００４２】
さらに、バイメタル板４１は、その形状が平板状、つまり、曲げのない直線的な形状で成形されているので、折曲部分を有する場合の残留応力や急激な熱変化等の影響で、バイメタル板４１が変形してしまうこと等が抑制され、過電流引外し時間が、所望の設定時間に対して大きく変動すること等が阻止される。
【００４３】
また、図９に示すように、回路遮断部２２には、ジャンパ線４０の一部をセパレータ１８に対して固定的に保持するジャンパ線保持用リブ９３、９４が設けられている。セパレータ１８と一体成形されるジャンパ線保持用リブ９３、９４は、ジャンパ線４０を嵌め込むために、そのジャンパ線４０よりも僅かに幅の細い溝部を形成している。これにより、選択端子７７を所望の導電バーに接続するための回転移動の際等に、ジャンパ線４０を通じてバイメタル板４１に伝達されるようとする外部応力をジャンパ線保持用リブ９３、９４により阻止できるので、バイメタル板４１の取付姿勢や位置が変化してしまうこと等が抑制され、過電時の遮断動作の安定化を図ることが可能である。
【００４４】
以上、本発明を実施の形態により具体的に説明したが、本発明は前記実施形態にのみ限定されるものではなく、その要旨を逸脱しない範囲で種々変更可能である。例えば、支持枠４９ｂのテーパ部係合孔４９ｅの周縁に、調整ねじ４９ｄのテーパ部４９ｇの形状に適合する同様のテーパ部を設けてもよい。また、支持枠４９が、金型加工により成形される板金等である場合には、金型の抜き方向に生じる縦ばりのない面側が調整ねじ４９ｄのテーパ部４９ｇで押圧されるように回路遮断器を構成することが望ましい。
【００４５】
【発明の効果】以上説明したように、本発明は、過電流変形部材の姿勢を変化させ引外し部との間の離間距離を調整するための機構が、調整ねじのテーパ部と支持部材の開口部周縁との接触部分により実現されているので、テーパ部が開口部の周縁に楔状に食込んだ強固な固定状態がつくりだされることになる。したがって、本発明によれば、装置本体のＯＮ／ＯＦＦによる衝撃等の影響で、過電流変形部材と調整ねじとの接触位置が変わってしまうこと等が低減されるので、引外し部と過電流変形部材との初期のギャップ量、すなわち過電流引外し時間が所望の設定時間から変化してしまうこと等が抑制され、過電時の遮断動作の安定化を図ることができる。
【図面の簡単な説明】
【図１】本発明の実施形態に係る回路遮断器が搭載された分電盤を示す平面図である。
【図２】図１の分電盤（扉を閉じた状態）の側面図である。
【図３】図１の分電盤に搭載された回路遮断器（ＯＦＦ状態）を示す断面図である。
【図４】図３の回路遮断器の平面図である。
【図５】図３の回路遮断器の後面図である。
【図６】図３の回路遮断器に設けられた回路遮断部を拡大して示す断面図である。
【図７】図６の回路遮断部を構成する四角ナットに調整ねじを螺合する前の状態を示す断面図である。
【図８】図７の四角ナットに調整ねじを螺合した後の状態を示す断面図である。
【図９】図６の回路遮断部に設けられたジャンパ線保持部の構造を示す断面図である。図９（ａ）は、図６に対する背面図である。図９（ｂ）は、図９（ａ）に対する側面図である。
【符号の説明】１…分電盤、１１…回路遮断器、４０，４３…ジャンパ線（電線）、４１…バイメタル板（過電流変形部材）、４２…磁鉄片、４４…コンタクトアーム、４５…可動接点、４６…固定接点、４９…鉄枠、４９ａ…磁鉄片ばね、４９ｂ…支持枠（支持部材）、４９ｃ…四角ナット（ナット部材）、４９ｄ…調整ねじ、４９ｅ…テーパ部係合孔（支持部材の開口部）、４９ｆ…透孔、４９ｇ…テーパ部、４９ｈ…雌ねじ部、５５…第１リンク、５６…第２リンク、５８…第１ラッチレバー、５９…第２ラッチレバー、５９ａ…引外しピン（引外し部）、７７…選択端子、９３，９４…ジャンパ線保持用リブ（電線保持部）、ｄ…引外しピンとバイメタル板とのギャップ（離間距離）、Ｎ，Ｌ１，Ｌ２…導電バー（導電体）。
【図１】
2004158389.tif 000003
【図２】
2004158389.tif 000004
【図３】
2004158389.tif 000005
【図４】
2004158389.tif 000006
【図５】
2004158389.tif 000007
【図６】
2004158389.tif 000008
【図７】
2004158389.tif 000009
【図８】
2004158389.tif 000010
【図９】
2004158389.tif 000011